【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
一液式湿気硬化型液体塗布防水膜であって、
少なくとも１種のイソシアネート官能性のポリウレタンポリマーと、
少なくとも１種の式（Ｉ）のアルジミンであって、
少なくとも１種の式（ＩＩＩａ）のアミンと少なくとも１種の式（ＩＶ）のアルデヒドとの縮合反応により得られうるアルジアミンと、
少なくとも１種の式（ＩＩ）のアルジミンであって、
少なくとも１種の式（ＩＩＩｂ）のアミンと少なくとも１種の式（Ｖ）のアルデヒドとの縮合反応により得られうるアルジアミンと、
を含み、
【化１】
2016511301.tif 000001
【化２】
2016511301.tif 000002
（式中、
Ａ１が、任意にエーテル基又はウレタン基を含有する分子量が２８ｇ／ｍｏｌ〜５０００ｇ／ｍｏｌの範囲内のｍ価のヒドロカーボン部分であり、
Ａ２が、任意にエーテル基又はウレタン基を含有する分子量が２８ｇ／ｍｏｌ〜５０００ｇ／ｍｏｌの範囲内のｎ価のヒドロカーボン部分であり、
Ｒ１とＲ２とが、同じ若しくは異なるＣ１〜Ｃ１２直鎖若しくは分岐アルキルであるか、又は５員〜８員の炭素環の一部である二価の直鎖若しくは分岐Ｃ４〜Ｃ１２ヒドロカーボン部分を形成するようにともに結合されており、
Ｒ３が、水素、又は直鎖若しくは分岐Ｃ１〜Ｃ１２アルキル若しくはアリールアルキル若しくはアルコキシカルボニルであり、
Ｒ４とＲ５とが、任意にエーテル基を含有する同じ若しくは異なる直鎖若しくは分岐Ｃ１〜Ｃ２０アルキル若しくはシクロアルキル若しくはアラルキルであるか、又は窒素原子の他にエーテル基若しくはチオエーテル基若しくは第三級アミノ基を含有することができる、５員〜８員の複素環の一部である二価の直鎖若しくは分岐Ｃ４〜Ｃ１２ヒドロカーボン部分を形成するようにともに結合されており、
Ｒ６が、任意にエーテル基、カルボニル基又はエステル基を含有する一価のＣ６〜Ｃ２０ヒドロカーボン部分であり、
ｍ及びｎが２〜６である）
式（Ｉ）及び式（ＩＩ）の２つのアルジミンの一方がポリオキシアルキレンジアミン又はポリオキシアルキレントリアミンに由来するものであり、他方のアルジミンがエーテル基を含有しないジアミン又はトリアミンに由来するものであり、かつ
前記式（Ｉ）のアルジミンのアルジミノ基の数と前記式（ＩＩ）のアルジミンのアルジミノ基の数との比が９０／１０〜５０／５０の範囲内である、一液式湿気硬化型液体塗布防水膜。
【請求項２】
前記イソシアネート官能性のポリマーが脂肪族ポリイソシアネートを基にするものである、請求項１に記載の膜。
【請求項３】
Ａ１が、エーテル基を含有する分子量が１８０ｇ／ｍｏｌ〜５０００ｇ／ｍｏｌの範囲内の二価又は三価のヒドロカーボン部分であり、
Ａ２が、分子量が２８ｇ／ｍｏｌ〜４００ｇ／ｍｏｌの範囲内の二価のヒドロカーボン部分である、請求項１又は２に記載の膜。
【請求項４】
前記式（Ｉ）のアルジミンが、平均分子量が５００ｇ／ｍｏｌ〜４４００ｇ／ｍｏｌの範囲内のＮ，Ｎ’−ビス（２，２−ジメチル−３−（Ｎ−モルホリノ）−プロピリデン）−ポリオキシプロピレンジアミン及び平均分子量が８６０ｇ／ｍｏｌ〜５５００ｇ／ｍｏｌの範囲内のＮ，Ｎ’，Ｎ’’−トリス（２，２−ジメチル−３−（Ｎ−モルホリノ）−プロピリデン）−ポリオキシプロピレントリアミンからなる群より選択され、
前記式（ＩＩ）のアルジミンが、Ｎ，Ｎ’−ビス（２，２−ジメチル−３−ラウロイルオキシプロピリデン）−ヘキサメチレン−１，６−ジアミン及びＮ，Ｎ’−ビス（２，２−ジメチル−３−ラウロイルオキシプロピリデン）−３−アミノメチル−３，５，５−トリメチルシクロヘキシルアミンからなる群より選択される、請求項３に記載の膜。
【請求項５】
Ａ１が、分子量が２８ｇ／ｍｏｌ〜４００ｇ／ｍｏｌの範囲内の二価のヒドロカーボン部分であり、
Ａ２が、エーテル基を含有する分子量が１８０ｇ／ｍｏｌ〜５０００ｇ／ｍｏｌの範囲内の二価又は三価のヒドロカーボン部分である、請求項１又は２に記載の膜。
【請求項６】
前記式（Ｉ）のアルジミンが、Ｎ，Ｎ’−ビス（２，２−ジメチル−３−（Ｎ−モルホリノ）−プロピリデン）−ヘキサメチレン−１，６−ジアミン及びＮ，Ｎ’−ビス（２，２−ジメチル−３−（Ｎ−モルホリノ）−プロピリデン）−３−アミノメチル−３，５，５−トリメチルシクロヘキシルアミンからなる群より選択され、
前記式（ＩＩ）のアルジミンが、平均分子量が７００ｇ／ｍｏｌ〜４６００ｇ／ｍｏｌの範囲内のＮ，Ｎ’−ビス（２，２−ジメチル−３−ラウロイルオキシプロピリデン）−ポリオキシプロピレンジアミン及び平均分子量が１２００ｇ／ｍｏｌ〜５８００ｇ／ｍｏｌの範囲内のＮ，Ｎ’，Ｎ’’−トリス（２，２−ジメチル−３−ラウロイルオキシプロピリデン）−ポリオキシ−プロピレントリアミンからなる群より選択される、請求項５に記載の膜。
【請求項７】
無機フィラー及び顔料からなる群より選択される少なくとも１種の成分と、
難燃性可塑剤及び難燃性フィラーからなる群より選択される少なくとも１種の成分と、  触媒、可塑剤、溶媒及びＵＶ安定剤からなる群より選択される少なくとも１種の成分と、
を更に含む、請求項１〜６のいずれか一項に記載の膜。
【請求項８】
１５重量％〜７０重量％のイソシアネート官能性のポリウレタンポリマーと、
無機フィラー、難燃性フィラー及び顔料を包含する２０重量％〜８０重量％のフィラーと、
難燃性可塑剤を包含する５重量％〜３０重量％の可塑剤と、
を含有するとともに、
触媒、溶媒及びＵＶ安定剤からなる群より選択される少なくとも１種の更なる成分を含む、請求項１〜７のいずれか一項に記載の膜。
【請求項９】
ブルックフィールドＤＶ−Ｅスピンドル型粘度計、スピンドル番号５を用いて、３０ｒｐｍ、２０℃の温度にて測定したブルックフィールド粘度が２０℃で２０００ｍＰａ・ｓ〜１５０００ｍＰａ・ｓの範囲内である、請求項１〜８のいずれか一項に記載の膜。
【請求項１０】
１リットル当たり５０ｇ以下のＶＯＣを含有する、請求項１〜９のいずれか一項に記載の膜（ただし、ＶＯＣは、２９３．１４Ｋの温度の蒸気圧が少なくとも０．０１ｋＰａの有機物質を指す）。
【請求項１１】
屋根に対する請求項１〜１０のいずれか一項に記載の膜の使用。
【請求項１２】
防水システムであって、
任意にプライマー及び／又はアンダーコートと、
請求項１〜１０のいずれか一項に記載の膜の１つ又は２つ以上の層と、
任意にトップコートと、
からなる、防水システム。
【請求項１３】
請求項１〜１０のいずれか一項に記載の膜の１つ又は２つ以上の層が、繊維強化メッシュと組み合わせられてなる、請求項１２に記載の防水システム。
【請求項１４】
屋根構造体を防水処理する方法であって、
請求項１〜１０のいずれか一項に記載の膜を、０．５ｍｍ〜３ｍｍの範囲内の層厚にて屋根構造体の基層上に液体状態で塗布することと、
前記膜を該膜のオープンタイム内に繊維強化メッシュと接触させることと、
前記膜を湿気に曝すことであって、それにより該膜を部分的に又は全体的に硬化させることで、弾性コーティングを得ることと、
任意に前記膜の第２の層を０．５ｍｍ〜３ｍｍの範囲内の層厚にて塗布するとともに、該第２の層を湿気に曝すことにより硬化することと、
を含む、方法。
【請求項１５】
請求項１４に記載の方法により得られる防水屋根構造体。
【請求項１６】
少なくとも１種のイソシアネート官能性のポリウレタンポリマーと、
少なくとも１種の式（Ｉ）のアルジミンであって、少なくとも１種の式（ＩＩＩａ）のアミンと少なくとも１種の式（ＩＶ）のアルデヒドとの縮合反応により得られうるアルジアミン
とを含む一液式湿気硬化型液体塗布防水膜における希釈剤としての少なくとも１種の式（ＩＩ）のアルジミンであって、少なくとも１種の式（ＩＩＩｂ）のアミンと少なくとも１種の式（Ｖ）のアルデヒドとの縮合反応により得られうるアルジアミンの使用：
【化３】
2016511301.tif 000003
【化４】
2016511301.tif 000004
（式中、
Ａ１が、任意にエーテル基又はウレタン基を含有する分子量が２８ｇ／ｍｏｌ〜５０００ｇ／ｍｏｌの範囲内のｍ価のヒドロカーボン部分であり、
Ａ２が、任意にエーテル基又はウレタン基を含有する分子量が２８ｇ／ｍｏｌ〜５０００ｇ／ｍｏｌの範囲内のｎ価のヒドロカーボン部分であり、
Ｒ１とＲ２とが、同じ若しくは異なるＣ１〜Ｃ１２直鎖若しくは分岐アルキルであるか、又は５員〜８員の炭素環の一部である二価の直鎖若しくは分岐Ｃ４〜Ｃ１２ヒドロカーボン部分を形成するようにともに結合されており、
Ｒ３が、水素、又は直鎖若しくは分岐Ｃ１〜Ｃ１２アルキル若しくはアリールアルキル若しくはアルコキシカルボニルであり、
Ｒ４とＲ５とが、任意にエーテル基を含有する同じ若しくは異なる直鎖若しくは分岐Ｃ１〜Ｃ２０アルキル若しくはシクロアルキル若しくはアラルキルであるか、又は窒素原子の他にエーテル基若しくはチオエーテル基若しくは第三級アミノ基を含有することができる、５員〜８員の複素環の一部である二価の直鎖若しくは分岐Ｃ４〜Ｃ１２ヒドロカーボン部分を形成するようにともに結合されており、
Ｒ６が、任意にエーテル基、カルボニル基又はエステル基を含有する一価のＣ６〜Ｃ２０ヒドロカーボン部分であり、
ｍ及びｎが２〜６である）
（ただし、式（Ｉ）及び式（ＩＩ）の２つのアルジミンの一方がポリオキシアルキレンジアミン又はポリオキシアルキレントリアミンに由来するものであり、他方のアルジミンがエーテル基を含有しないジアミン又はトリアミンに由来するものである）。